(57)【要約】【課題】ＩＣカード内蔵の携帯端末をリーダライタにかざすときに、ＩＣカード用アンテナが備えられていない方の面を誤って下にした場合にユーザに警告を行う。【解決手段】リーダライタ２０との間で非接触通信を行うＩＣカード部１４と重力加速度を検出する加速度センサ１６とを備えた携帯端末１０において、ＩＣカード部１４とリーダライタ２０との通信が失敗した場合に加速度センサ１６により重力加速度を検出し、検出された重力加速度データを基に非接触ＩＣカード用アンテナ１５の搭載面の向きを判別し、非接触ＩＣカード用アンテナ１５の搭載面がリーダライタ２０と対向する向きでなかった場合に、スピーカ１３からの警告音鳴動や表示部１２への警告表示を行う。【選択図】      図１
2008148102.tif 000002
【特許請求の範囲】
【請求項１】
外部リーダライタとの間で非接触通信を行うＩＣカードと重力加速度を検出する加速度センサとを備えた携帯端末であって、前記ＩＣカードと前記外部リーダライタとの通信が失敗した場合に前記加速度センサにより重力加速度を検出する手段と、検出された重力加速度データを基にＩＣカード用アンテナ搭載面の向きを判別する手段と、前記ＩＣカード用アンテナ搭載面が前記外部リーダライタと対向する向きでなかった場合に警告する手段とを有することを特徴とする携帯端末。
【請求項２】
前記警告は、警告音の鳴動と向きが逆であることを示す警告表示とを含むことを特徴とする請求項１記載の携帯端末。
【請求項３】
前記警告は、バイブレータの振動と向きが逆であることを示す警告表示とを含むことを特徴とする請求項１記載の携帯端末。
【請求項４】
前記警告は、警告音の鳴動およびバイブレータの振動と向きが逆であることを示す警告表示とを含むことを特徴とする請求項１記載の携帯端末。
【請求項５】
ユーザにより選択された警告パターンを登録する手段と、前記ＩＣカード用アンテナ搭載面が前記外部リーダライタと対向する向きでなかった場合に前記登録された警告パターンを抽出する手段とをさらに有し、抽出した警告パターンに基づいて警告することを特徴とする請求項１記載の携帯端末。
【請求項６】
前記警告パターンは、警告音の鳴動と向きが逆であることを示す警告表示とにより警告する第１のパターンと、バイブレータの振動と向きが逆であることを示す警告表示とにより警告する第２のパターンと、警告音の鳴動およびバイブレータの振動と向きが逆であることを示す警告表示とにより警告する第３のパターンの少なくとも二つ以上のパターンを含むことを特徴とする請求項５記載の携帯端末。
【請求項７】
前記ＩＣカード用アンテナ搭載面の向きの判別は、検出された重力加速度データと予め前記ＩＣカード用アンテナ搭載面の向き対応に登録された重力加速度データとを照合することにより行われることを特徴とする請求項１〜６のいずれか１項記載の携帯端末。
【請求項８】
前記警告は所定時間行われることを特徴とする請求項１〜７のいずれか１項記載の携帯端末。
【請求項９】
前記警告開始後に一定時間毎に前記ＩＣカード用アンテナ搭載面の向きを確認する手段と、前記ＩＣカード用アンテナ搭載面が前記外部リーダライタと対向する向きになったときに前記警告を停止する手段とを、さらに有することを特徴とする請求項１〜７のいずれか１項記載の携帯端末。
【請求項１０】
外部リーダライタとの間で非接触通信を行うＩＣカードと重力加速度を検出する加速度センサとを備えた携帯端末を用いた非接触通信時における警告方法であって、前記ＩＣカードと前記外部リーダライタとの通信が失敗した場合に前記加速度センサにより重力加速度を検出し、検出された重力加速度データを基にＩＣカード用アンテナ搭載面の向きを判別し、前記ＩＣカード用アンテナ搭載面が前記外部リーダライタと対向する向きでなかった場合に警告することを特徴とする非接触通信時における警告方法。
【請求項１１】
外部リーダライタとの間で非接触通信を行うＩＣカードと重力加速度を検出する加速度センサとを備えた携帯端末を用いた非接触通信時における警告方法であって、ユーザにより選択された警告パターンを予め登録しておき、前記ＩＣカードと前記外部リーダライタとの通信が失敗した場合に前記加速度センサにより重力加速度を検出し、検出された重力加速度データを基にＩＣカード用アンテナ搭載面の向きを判別し、前記ＩＣカード用アンテナ搭載面が前記外部リーダライタと対向する向きでなかった場合に前記登録された警告パターンを抽出し、抽出された警告パターンに基づいて警告することを特徴とする非接触通信時における警告方法。
【請求項１２】
外部リーダライタとの間で非接触通信を行うＩＣカードと重力加速度を検出する加速度センサとを備えた携帯端末を用いた非接触通信時における警告方法であって、前記ＩＣカードと前記外部リーダライタとの通信が失敗した場合に前記加速度センサにより重力加速度を検出し、検出された重力加速度データを基にＩＣカード用アンテナ搭載面の向きを判別し、前記ＩＣカード用アンテナ搭載面が前記外部リーダライタと対向する向きでなかった場合に警告を開始し、前記警告開始後に一定時間毎に前記ＩＣカード用アンテナ搭載面の向きを確認し、前記ＩＣカード用アンテナ搭載面が前記外部リーダライタと対向する向きになったときに前記警告を停止することを特徴とする非接触通信時における警告方法。
【請求項１３】
内蔵ＩＣカードと外部リーダライタとの通信が失敗した場合に内蔵加速度センサに重力加速度を検出させる機能、検出された重力加速度データを基にＩＣカード用アンテナ搭載面の向きを判別する機能、前記ＩＣカード用アンテナ搭載面が前記外部リーダライタと対向する向きでなかった場合に警告する機能、をコンピュータに実現させるためのプログラム。
【請求項１４】
警告パターンを予め登録する機能、内蔵ＩＣカードと外部リーダライタとの通信が失敗した場合に内蔵加速度センサに重力加速度を検出させる機能、検出された重力加速度データを基にＩＣカード用アンテナ搭載面の向きを判別する機能、前記ＩＣカード用アンテナ搭載面が前記外部リーダライタと対向する向きでなかった場合に前記登録された警告パターンを抽出する機能、抽出された警告パターンに基づいて警告する機能、をコンピュータに実現させるためのプログラム。
【請求項１５】
内蔵ＩＣカードと外部リーダライタとの通信が失敗した場合に内蔵加速度センサに重力加速度を検出させる機能、検出された重力加速度データを基にＩＣカード用アンテナ搭載面の向きを判別する機能、前記ＩＣカード用アンテナ搭載面が前記外部リーダライタと対向する向きでなかった場合に警告する機能、前記警告開始後に一定時間毎に前記ＩＣカード用アンテナ搭載面の向きを確認する機能、前記ＩＣカード用アンテナ搭載面が前記外部リーダライタと対向する向きになったときに前記警告を停止させる機能、をコンピュータに実現させるためのプログラム。
【発明の詳細な説明】
【技術分野】
【０００１】
本発明は、非接触ＩＣカードを内蔵した携帯端末，非接触通信時における警告方法およびプログラムに関する。
【背景技術】
【０００２】
近年、非接触ＩＣカードを内蔵した携帯端末と外部リーダライタとの非接触通信（近接通信）により、駅の改札装置における改札処理や店舗における商品購入決済処理等が行われている。この非接触通信に用いられるアンテナは携帯端末筐体の表面側または裏面側等に備えられている。従って、ユーザが携帯端末を外部リーダライタにかざすときには非接触通信用アンテナが備えられている方の面を下にする必要があり、誤って非接触通信用アンテナが備えられていない方の面を下にすると通信処理ができないという問題を惹起する場合がある。
【０００３】
そして、このような問題を解決するための非接触通信時の制御方法が、例えば、特開２００６−２１１５５１号公報（特許文献１）に開示されている。この特許文献１においては、
・筐体の表面側に第１のアンテナを、裏面側に第２のアンテナをそれぞれ配置しておき、
・筐体に内蔵した加速度センサにより筐体のいずれの面が下側を向いているかを検出し、
・下側を向いている面に配置されたアンテナ（例えば、裏面側が下側を向いている場合は、第２のアンテナ）を選択し、
・選択された第２のアンテナとＲＦＩＤ回路とをスイッチにより接続する、
ことが記載されている。
【０００４】
【特許文献１】特開２００６−２１１５５１号公報（段落「００２０」〜「００２４」、図１、図２）
【発明の開示】
【発明が解決しようとする課題】
【０００５】
上述した特許文献１においては、筐体の表面側，裏面側のアンテナを切り替えて使用するため、非接触通信のために複数のアンテナの配置が必要となるばかりでなく、切り替え用スイッチを携帯端末に備えなければならないという問題がある。
【０００６】
本発明の目的は、以上の課題を解決する携帯端末，非接触通信時における警告方法およびプログラムを提供することにある。
【課題を解決するための手段】
【０００７】
本発明の第１の携帯端末は、外部リーダライタとの間で非接触通信を行うＩＣカードと重力加速度を検出する加速度センサとを備えた携帯端末であって、前記ＩＣカードと前記外部リーダライタとの通信が失敗した場合に前記加速度センサにより重力加速度を検出する手段と、検出された重力加速度データを基にＩＣカード用アンテナ搭載面の向きを判別する手段と、前記ＩＣカード用アンテナ搭載面が前記外部リーダライタと対向する向きでなかった場合に警告する手段とを有する。
【０００８】
本発明の第２の携帯端末は、本発明の第１の携帯端末において、前記警告は、警告音の鳴動と向きが逆であることを示す警告表示とを含むことを特徴とする。
【０００９】
本発明の第３の携帯端末は、本発明の第１の携帯端末において、前記警告は、バイブレータの振動と向きが逆であることを示す警告表示とを含むことを特徴とする。
【００１０】
本発明の第４の携帯端末は、本発明の第１の携帯端末において、前記警告は、警告音の鳴動およびバイブレータの振動と向きが逆であることを示す警告表示とを含むことを特徴とする。
【００１１】
本発明の第５の携帯端末は、本発明の第１の携帯端末において、ユーザにより選択された警告パターンを登録する手段と、前記ＩＣカード用アンテナ搭載面が前記外部リーダライタと対向する向きでなかった場合に前記登録された警告パターンを抽出する手段とをさらに有し、抽出した警告パターンに基づいて警告することを特徴とする。
【００１２】
本発明の第６の携帯端末は、本発明の第５の携帯端末において、前記警告パターンは、警告音の鳴動と向きが逆であることを示す警告表示とにより警告する第１のパターンと、バイブレータの振動と向きが逆であることを示す警告表示とにより警告する第２のパターンと、警告音の鳴動およびバイブレータの振動と向きが逆であることを示す警告表示とにより警告する第３のパターンの少なくとも二つ以上のパターンを含むことを特徴とする。
【００１３】
本発明の第７の携帯端末は、本発明の第１〜第６のいずれかの携帯端末において、前記ＩＣカード用アンテナ搭載面の向きの判別は、検出された重力加速度データと予め前記ＩＣカード用アンテナ搭載面の向き対応に登録された重力加速度データとを照合することにより行われることを特徴とする。
【００１４】
本発明の第８の携帯端末は、本発明の第１〜第７のいずれかの携帯端末において、前記警告は所定時間行われることを特徴とする。
【００１５】
本発明の第９の携帯端末は、本発明の第１〜第７のいずれかの携帯端末において、前記警告開始後に一定時間毎に前記ＩＣカード用アンテナ搭載面の向きを確認する手段と、前記ＩＣカード用アンテナ搭載面が前記外部リーダライタと対向する向きになったときに前記警告を停止する手段とを、さらに有する。
【００１６】
本発明の第１の非接触通信時における警告方法は、外部リーダライタとの間で非接触通信を行うＩＣカードと重力加速度を検出する加速度センサとを備えた携帯端末を用いた非接触通信時における警告方法であって、前記ＩＣカードと前記外部リーダライタとの通信が失敗した場合に前記加速度センサにより重力加速度を検出し、検出された重力加速度データを基にＩＣカード用アンテナ搭載面の向きを判別し、前記ＩＣカード用アンテナ搭載面が前記外部リーダライタと対向する向きでなかった場合に警告することを特徴とする。
【００１７】
本発明の第２の非接触通信時における警告方法は、外部リーダライタとの間で非接触通信を行うＩＣカードと重力加速度を検出する加速度センサとを備えた携帯端末を用いた非接触通信時における警告方法であって、ユーザにより選択された警告パターンを予め登録しておき、前記ＩＣカードと前記外部リーダライタとの通信が失敗した場合に前記加速度センサにより重力加速度を検出し、検出された重力加速度データを基にＩＣカード用アンテナ搭載面の向きを判別し、前記ＩＣカード用アンテナ搭載面が前記外部リーダライタと対向する向きでなかった場合に前記登録された警告パターンを抽出し、抽出された警告パターンに基づいて警告することを特徴とする。
【００１８】
本発明の第３の非接触通信時における警告方法は、外部リーダライタとの間で非接触通信を行うＩＣカードと重力加速度を検出する加速度センサとを備えた携帯端末を用いた非接触通信時における警告方法であって、前記ＩＣカードと前記外部リーダライタとの通信が失敗した場合に前記加速度センサにより重力加速度を検出し、検出された重力加速度データを基にＩＣカード用アンテナ搭載面の向きを判別し、前記ＩＣカード用アンテナ搭載面が前記外部リーダライタと対向する向きでなかった場合に警告を開始し、前記警告開始後に一定時間毎に前記ＩＣカード用アンテナ搭載面の向きを確認し、前記ＩＣカード用アンテナ搭載面が前記外部リーダライタと対向する向きになったときに前記警告を停止することを特徴とする。
【００１９】
本発明の第１のプログラムは、内蔵ＩＣカードと外部リーダライタとの通信が失敗した場合に内蔵加速度センサに重力加速度を検出させる機能、検出された重力加速度データを基にＩＣカード用アンテナ搭載面の向きを判別する機能、前記ＩＣカード用アンテナ搭載面が前記外部リーダライタと対向する向きでなかった場合に警告する機能、をコンピュータに実現させる。
【００２０】
本発明の第２のプログラムは、警告パターンを予め登録する機能、内蔵ＩＣカードと外部リーダライタとの通信が失敗した場合に内蔵加速度センサに重力加速度を検出させる機能、検出された重力加速度データを基にＩＣカード用アンテナ搭載面の向きを判別する機能、前記ＩＣカード用アンテナ搭載面が前記外部リーダライタと対向する向きでなかった場合に前記登録された警告パターンを抽出する機能、抽出された警告パターンに基づいて警告する機能、をコンピュータに実現させる。
【００２１】
本発明の第３のプログラムは、内蔵ＩＣカードと外部リーダライタとの通信が失敗した場合に内蔵加速度センサに重力加速度を検出させる機能、検出された重力加速度データを基にＩＣカード用アンテナ搭載面の向きを判別する機能、前記ＩＣカード用アンテナ搭載面が前記外部リーダライタと対向する向きでなかった場合に警告する機能、前記警告開始後に一定時間毎に前記ＩＣカード用アンテナ搭載面の向きを確認する機能、前記ＩＣカード用アンテナ搭載面が前記外部リーダライタと対向する向きになったときに前記警告を停止させる機能、をコンピュータに実現させる。
【発明の効果】
【００２２】
本発明においては、ユーザがＩＣカード用アンテナ搭載面を誤って上向きにした状態（リーダライタに対向していない状態）でリーダライタにかざし通信が失敗した場合に、警告するようにしている。これにより、ユーザがリーダライタに携帯端末を逆向きでかざした場合に、ユーザに向きが違うということを気づかせることができるという効果が得られる。
【発明を実施するための最良の形態】
【００２３】
本発明の実施の形態について図面を参照して詳細に説明する。
【００２４】
図１は、本発明の第１の実施の形態の構成を示す図である。図１を参照すると、本発明の携帯端末１０は、操作部１１と、表示部１２と、スピーカ１３と、ＩＣカード部１４と、非接触ＩＣカード用アンテナ１５と、加速度センサ１６と、記憶部１７と、制御部１８とを備えている。なお、本発明の携帯端末１０は、携帯電話機，ＰＨＳ(Personal Handyphone System)，ＰＤＡ(Personal Digital Assistance)等の携帯情報端末である。
【００２５】
操作部１１はテンキー，機能キー，ポインティングデバイス等の入力装置であり、表示部１２はＬＣＤ(Liquid Crystal Display)等の表示装置である。スピーカ１３は着信音や警告音等を出力する。ＩＣカード部１４は非接触ＩＣカードや非接触ＩＣチップである。このＩＣカード部１４は、ＣＰＵ(Central Processing Unit)等の図示しない制御部と、
リーダライタ２０との間で非接触ＩＣカード用アンテナ１５を介して無線信号の送受信を行う図示しない通信部と、読み取り，書き込み可能な図示しない記憶部とを備えている。また、このＩＣカード部１４は、リーダライタ２０との非接触通信による処理（改札処理や決済処理等）が正常に終了した場合は正常終了信号を、正常に終了しなかった場合（失敗した場合）は通信失敗信号を制御部１８に送信する機能を備えている。
【００２６】
加速度センサ１６は、例えば、３軸加速度センサであり、携帯端末１０の筐体内に内蔵されて、筐体のいずれの面が上側，下側を向いているかを判別するための重力加速度を検出する機能を備えている。因みに、Ｚ軸（上下軸）は携帯端末１０の加速度センサ１６を水平にしているときに下方向に常に１Ｇの重力が加わるためマイナス１Ｇの出力になり、加速度センサ１６を任意の方向に９０°傾けると０Ｇ、逆さまにするとプラス１Ｇの出力になる。従って、加速度センサ１６の検出データと、非接触ＩＣカード用アンテナ１５の搭載面と加速度センサ１６の配置関係とを基に、非接触ＩＣカード用アンテナ１５の搭載面が上向きか下向きかの判別が可能になる。記憶部１７は読み出し，書き込み可能な記憶装置であり、非接触ＩＣカード用アンテナ１５の搭載面が上向きの場合の重力加速度データと下向きの場合の重力加速度データが予め登録されている。これらのデータは、非接触ＩＣカード用アンテナ１５の搭載面と加速度センサ１６の配置関係とを基に予め登録される。このとき、外部リーダライタ２０の上に携帯端末１０をかざすときに水平状態からある程度傾くことが予想されるため、例えば、水平からプラスマイナス３０°位の傾きを考慮した重力加速度データを登録しておくものとする。
【００２７】
制御部１８はＣＰＵ等の制御装置であり、プログラムにより動作を制御される。この制御部１８は、
・ＩＣカード部１４から通信失敗信号を受信したときに、加速度センサ１６に重力加速度データの検出を指示する機能と、
・加速度センサ１６から取得した重力加速度データと、記憶部１７に格納された非接触ＩＣカード用アンテナ１５搭載面の向き対応の重力加速度データとを照合し、非接触ＩＣカード用アンテナ１５搭載面が上向きか下向きかを判別する機能と、
・非接触ＩＣカード用アンテナ１５搭載面が上向きであった場合に、スピーカ１３から予め設定された警告音を出力させるとともに、携帯端末１０の向きを上下逆にするよう表示部１２に表示する機能と、
を備えている。
【００２８】
リーダライタ２０は、駅の改札装置や店舗の端末等に備えられた非接触通信用読み取り，書き込み装置である。このリーダライタ２０は、携帯端末１０のＩＣカード部１４との間で非接触ＩＣカード用アンテナ１５を介した非接触通信を行う機能を備えている。
【００２９】
次に、本発明の第１の実施の形態の動作について図１，図２および図３を参照して説明する。なお、図２は携帯端末１０とリーダライタ２０の対向関係を説明する図であり、図３は本発明の第１の実施の形態の動作を示すフローチャートである。
【００３０】
ユーザが駅の改札装置や店舗の端末等に備えられたリーダライタ２０に携帯端末１０を近づけると、ＩＣカード部１４とリーダライタ２０との間で非接触通信が開始される。そして、リーダライタ２０からの制御信号により改札処理や決済処理等の通信処理がＩＣカード部１４との間で行われる（図３のステップＡ１）。ＩＣカード部１４は、リーダライタ２０との通信処理が正常に終了すると正常終了信号を制御部１８に送信し（ステップＡ２→ステップＡ３）、通信処理が正常に終了しなかった場合は通信失敗信号を制御部１８に送信する（ステップＡ２→ステップＡ４）。
【００３１】
ここで、図２を参照すると、（１）に示すように非接触ＩＣカード用アンテナ１５の搭載面がリーダライタ２０と対向していた場合（下向きになっていた場合）は、ＩＣカード部１４とリーダライタ２０との間は良好な無線通信状態となり通信処理は正常に終了する。しかし、（２）に示すように非接触ＩＣカード用アンテナ１５の搭載面がリーダライタ２０と対向していなかった場合（上向きになっていた場合）は、ＩＣカード部１４とリーダライタ２０との間は良好な無線通信状態とならず通信処理は失敗に終わる可能性が高い。これは、携帯端末１０の内部には各種部品，基板やシールド用金属板等が配置されているため、非接触ＩＣカード用アンテナ１５が搭載されていない面をリーダライタ２０にかざした場合は無線通信性能が大幅に劣ってしまうことによる。
【００３２】
ステップＡ４において通信失敗信号を受信した制御部１８は、加速度センサ１６に対して重力加速度の検出を指示し、加速度センサ１６は重力加速度を検出する（ステップＡ５）。次に、制御部１８は加速度センサ１６から重力加速度データを取得し、記憶部１７に格納された非接触ＩＣカード用アンテナ１５搭載面の向き対応の重力加速度データと照合することにより、非接触ＩＣカード用アンテナ１５搭載面の向きを判別する（ステップＡ６）。
【００３３】
判別の結果、リーダライタ２０と対向状態（下向き）だった場合は（ステップＡ７）、制御部１８は処理を終了する。リーダライタ２０と逆の方向（上向き）だった場合は（ステップＡ７）、制御部１８はスピーカ１３から予め設定した警告音を鳴動させる。そして、制御部１８は図示しないタイマにより所定時間（例えば、５秒間）をカウントし、所定時間経過後にスピーカ１３からの警告音鳴動を停止させる（ステップＡ８）。警告音を鳴動させるとともに、制御部１８は表示部１２に警告文を表示する。この警告文は、例えば、「リーダライタと対向する面を逆にして下さい」等の内容であり、予め記憶部１７に登録されたものを抽出して表示する（ステップＡ９）。
【００３４】
以上説明したように、本実施の形態においては、ユーザが非接触ＩＣカード用アンテナ１５搭載面を誤って上向きにした状態でリーダライタ２０にかざし通信が失敗した場合、警告音鳴動と警告文表示により警告するようにしている。これにより、ユーザがリーダライタ２０に携帯端末１０を逆向きでかざした場合に、ユーザに向きが違うということを気づかせることができるという効果が得られる。
【００３５】
次に、本発明の第２の実施の形態について説明する。
【００３６】
本実施の形態は、上述した第１の実施の形態における警告音鳴動の代わりにバイブレーションにより警告するようにした点が異なっている。図４は本発明の第２の実施の形態の構成を示す図であり、図１（第１の実施の形態の構成図）に比べ、バイブレータ１９が追加されている。
【００３７】
次に、本実施の形態の動作について図３，図４および図５を参照して説明する。なお、図５は本発明の第２の実施の形態の動作を示すフローチャートである。図５を参照すると、ステップＢ１〜ステップＢ７，ステップＢ９は、図３（第１の実施の形態）のステップＡ１〜ステップＡ７，ステップＡ９と同じであるため説明を省略し、ステップＢ８について説明する。ステップＢ７（図３のステップＡ７）における判別の結果、非接触ＩＣカード用アンテナ１５搭載面がリーダライタ２０と逆の方向（上向き）だった場合は、制御部１８はバイブレータ１９を振動させる。そして、制御部１８は図示しないタイマにより所定時間（例えば、５秒間）をカウントし、所定時間経過後にバイブレータ１９の振動を停止させる（ステップＡ８）。
【００３８】
以上説明したように、本実施の形態においては、ユーザが非接触ＩＣカード用アンテナ１５搭載面を誤って上向きにした状態でリーダライタ２０にかざし通信が失敗した場合、バイブレーションと警告文表示により警告するようにしている。これにより、第１の実施の形態が警告音を鳴動させていたのに比べ、本実施の形態においては、周囲に音を発することなく警告できるという効果が得られる。
【００３９】
次に、本発明の第３の実施の形態について説明する。
【００４０】
本実施の形態は、上述した第１の実施の形態における警告音鳴動と、第２の実施の形態におけるバイブレーションの両方により警告するようにしたことを特徴としている。本実施の形態の構成は図４（第２の実施の形態の構成図）と同じである。
【００４１】
次に、本実施の形態の動作について図３，図４および図６を参照して説明する。なお、図６は本発明の第３の実施の形態の動作を示すフローチャートである。図６を参照すると、ステップＣ１〜ステップＣ７，ステップＣ９は、図３（第１の実施の形態）のステップＡ１〜ステップＡ７，ステップＡ９と同じであるため説明を省略し、ステップＣ８について説明する。ステップＣ７（図３のステップＡ７）における判別の結果、非接触ＩＣカード用アンテナ１５搭載面が上向きだった場合は、制御部１８はスピーカ１３から予め設定した警告音を鳴動させるとともに、バイブレータ１９を振動させる。そして、制御部１８は図示しないタイマにより所定時間（例えば、５秒間）をカウントし、所定時間経過後にスピーカ１３からの警告音鳴動およびバイブレータ１９の振動を停止させる（ステップＣ８）。
【００４２】
以上説明したように、本実施の形態においては、ユーザが非接触ＩＣカード用アンテナ１５搭載面を誤って上向きにした状態でリーダライタ２０にかざし通信が失敗した場合、警告音，バイブレーションおよび警告文表示により警告するようにしている。これにより、第１，第２の実施の形態に比べ、本実施の形態においては、ユーザに３種類の警告表示を行うことにより、ユーザがより気づき易くなるという効果が得られる。
【００４３】
次に、本発明の第４の実施の形態について説明する。
【００４４】
本実施の形態は、上述した第１の実施の形態における警告音鳴動、第２の実施の形態におけるバイブレーション、第３の実施の形態における警告音鳴動とバイブレーション、の３種類の警告パターンを選択できるようにしたことを特徴としている。本実施の形態の構成は図４（第２の実施の形態の構成図）と同じである。なお、本実施の形態においては、上述した３種類の警告パターンのいずれの警告パターンを適用するかをユーザが選択して、予め記憶部１７に設定しておくものとする。
【００４５】
次に、本実施の形態の動作について図３，図４および図７を参照して説明する。なお、図７は本発明の第４の実施の形態の動作を示すフローチャートである。図７を参照すると、ステップＤ１〜ステップＤ７，ステップＤ１３は、図３（第１の実施の形態）のステップＡ１〜ステップＡ７，ステップＡ９と同じであるため説明を省略し、ステップＤ８〜ステップＤ１２について説明する。ステップＤ７（図３のステップＡ７）における判別の結果、非接触ＩＣカード用アンテナ１５搭載面が上向きだった場合は、制御部１８は記憶部１７に予め設定された警告パターンを取得する（ステップＤ８）。取得した警告パターンがパターン１であった場合は、制御部１８はスピーカ１３から予め設定した警告音を鳴動させる。そして、制御部１８は図示しないタイマにより所定時間（例えば、５秒間）をカウントし、所定時間経過後にスピーカ１３からの警告音鳴動を停止させる（ステップＤ９→ステップＤ１０）。取得した警告パターンがパターン２であった場合は、制御部１８はバイブレータ１９を振動させる。そして、制御部１８は図示しないタイマにより所定時間（例えば、５秒間）をカウントし、所定時間経過後にバイブレータ１９の振動を停止させる（ステップＤ９→ステップＤ１１）。取得した警告パターンがパターン３であった場合は、制御部１８はスピーカ１３から予め設定した警告音を鳴動させるとともに、バイブレータ１９を振動させる。そして、制御部１８は図示しないタイマにより所定時間（例えば、５秒間）をカウントし、所定時間経過後にスピーカ１３からの警告音鳴動およびバイブレータ１９の振動を停止させる（ステップＤ９→ステップＤ１２）。
【００４６】
以上説明したように、本実施の形態においては、ユーザに携帯端末１０の向きが逆向きであることを警告する場合に、警告音，バイブレーションおよび両者の組み合わせの３種類の警告パターンからユーザに予め選択された警告パターンで警告するようにしている。これにより、第１〜第３の実施の形態に比べ、本実施の形態においては、ユーザが３種類の警告パターンから希望するものを選択できるという効果が得られる。
【００４７】
次に、本発明の応用例，変形例等について説明する。
【００４８】
・図２においては折り畳み式携帯端末を例に説明したが、本発明は折り畳み式か否かに関わらず全ての携帯端末に適用可能であることは明らかである。
【００４９】
・上述した第１〜第４の実施の形態において、スピーカ１３による警告音鳴動やバイブレータ１９の振動による警告は所定時間行うとして説明したが、表示部１２への警告表示についても所定時間行うようにしてもよい。また、警告音鳴動，振動や警告表示開始後に、一定時間毎（例えば、１秒毎）に非接触ＩＣカード用アンテナ１５搭載面の向きを確認し、リーダライタ２０と対向状態（下向き）が判別されたときに警告音鳴動，振動や警告表示を停止するようにしてもよい。この場合は、制御部１８は警告音鳴動，振動や警告表示開始後に、一定時間毎に加速度センサ１６に重力加速度を検出させ、記憶部１７に格納された重力加速度データとの照合により非接触ＩＣカード用アンテナ１５搭載面の向きを判別する。そして、非接触ＩＣカード用アンテナ１５搭載面の向きが下向きと判別されたときに、制御部１８はスピーカ１３からの警告音鳴動、バイブレータ１９の振動、表示部１２への警告表示を停止させることになる。
【００５０】
・上述した第４の実施の形態においては、選択可能な警告パターンは、
（１）警告音の鳴動と向きが逆であることを示す警告表示とにより警告する第１のパターン、
（２）バイブレータ１９の振動と向きが逆であることを示す警告表示とにより警告する第２のパターン、
（３）警告音の鳴動およびバイブレータ１９の振動と向きが逆であることを示す警告表示とにより警告する第３のパターン、
として説明したが、パターンの数に限定はなく、上記以外のパターンの組み合わせであってもよい。例えば、（１）と（２）の組み合わせ、（１）と（３）の組み合わせ、（２）と（３）の組み合わせ等、二つのパターンとしてもよい。また新たなパターンを追加して四つ，五つ等のパターンとしてもよい。
【図面の簡単な説明】
【００５１】
【図１】本発明の第１の実施の形態の構成を示す図である。
【図２】携帯端末１０とリーダライタ２０の対向関係を説明する図である。
【図３】本発明の第１の実施の形態の動作を示すフローチャートである。
【図４】本発明の第２の実施の形態の構成を示す図である。
【図５】本発明の第２の実施の形態の動作を示すフローチャートである。
【図６】本発明の第３の実施の形態の動作を示すフローチャートである。
【図７】本発明の第４の実施の形態の動作を示すフローチャートである。
【符号の説明】
【００５２】
１０    携帯端末
１１    操作部
１２    表示部
１３    スピーカ
１４    ＩＣカード部
１５    非接触ＩＣカード用アンテナ
１６    加速度センサ
１７    記憶部
１８    制御部
１９    バイブレータ
２０    リーダライタ
【図１】
2008148102.tif 000003
【図２】
2008148102.tif 000004
【図３】
2008148102.tif 000005
【図４】
2008148102.tif 000006
【図５】
2008148102.tif 000007
【図６】
2008148102.tif 000008
【図７】
2008148102.tif 000009